(57)【要約】 【課題】本発明は、商品の入ったロッカーキーを景品としたロッカー付き物品取出装置に関する発明を提供するものである。【解決手段】本発明は、  商品収納ロッカーのロッカーキーをカプセル内に収納し物品取出装置の景品とし、ロッカーキーを獲得した利用者が、隣接する商品収納ロッカーの前記ロッカーキーを使用してロッカーを開け、ロツカー内に収納されている商品を獲得することができるようにしたことを特徴とするロッカー付き物品取出装置とした。【選択図】  図１
2007122166.tif 000002
【特許請求の範囲】
【請求項１】
商品収納ロッカーのロッカーキーをカプセル内に収納し物品取出装置の景品とし、ロッカーキーを獲得した利用者が、隣接する商品収納ロッカーの前記ロッカーキーを使用してロッカーを開け、ロッカー内に収納されている商品を獲得することができるようにしたことを特徴とするロッカー付き物品取出装置。
【発明の詳細な説明】
【技術分野】
【０００１】
本発明は、商品の入ったロッカーキーを景品としたロッカー付き物品取出装置に関する発明である。
【背景技術】
【０００２】
従来の物品取出装置は、お金を投入してからハンドルを回し、カプセルに入った商品を得るというものであった。
【０００３】
しかしながら、従来の物品取出装置の場合、カプセルの大きさによって商品の大きさが決まってしまい提供できる商品の範囲が決まっていた。
【０００４】
また、商品引き替え用のカプセルを使用した場合、商品の引き替えのために常に人員が必要となり、物品取出装置を設置する店舗が商品を管理しなければならなかった。
【特許文献１】特開２００３−１１７２２１号公報
【発明の開示】
【発明が解決しようとする課題】
【０００５】
そこで、本発明は、カプセルの大きさに左右されることなく商品を決定することができ、景品引き替えに人員を必要としない商品の入ったロッカーキーを景品としたロッカー付き物品取出装置を提供することを目的とするものである。
【課題を解決するための手段】
【０００６】
本発明は、上記の課題を解決するために、商品収納ロッカーのキー、即ち、ロッカーキーをカプセル内に収納し物品取出装置の景品とし、ロッカーキーを獲得した利用者が、隣接する商品収納ロッカーの前記ロッカーキーを使用してロッカーを開け、ロツカー内に収納されている商品を獲得することができるようにしたことを特徴とするロッカー付き物品取出装置の構成とした。
【発明の効果】
【０００７】
物品取出装置内に収納されるカプセルの大きさに左右されることがなく提供景品を選ぶことができるため、大きな商品を提供することができる。
【０００８】
また、景品との引き替えに人員を必要としないため、物品取出装置の設置店が景品引替を行わずに済み、管理が容易である。
【発明を実施するための最良の形態】
【０００９】
提供景品の範囲を限定されることなく、また景品引替作業などがなく設置店にとって管理が容易である物品取出装置という目的を、景品を収納したロッカーと当該ロッカーのキーであるロッカーキーを使用することで実現した。
【実施例１】
【００１０】
以下に、添付図面に基づいて、本発明である景品を収納したロッカー用のキーを景品としたロッカー付き物品取出装置について詳細に説明する。
【００１１】
図１は、本発明であるロッカー付き物品取出装置の斜視図である。図１に示すように、本発明であるロッカー付き物品取出装置１は、はずれ景品９とロッカーキー１０の入った物品取出装置２と当たり景品４，５，６，７の入った商品収納ロッカー３とからなる。
【００１２】
物品取出装置２は、正面の操作部２ａと操作部２ａの上部に設置され景品を収納している景品収納部２ｃと景品収納部２ｃの上面を覆う蓋２ｂと操作部２ａの下に設置された景品取出部２ｄからなり、図１では物品取出装置２を二段に重ね最下部に脚２ｍを備えた。
【００１３】
操作部２ａには、投入した金額を表示する料金表示部２ｅとお金投入口２ｆ及び返却ボタン２ｇ、ハンドル２ｈ、鍵穴２ｉ、扉２ｊが設置されており、前記景品取出部２ｄには、商品取出口２ｋとお金返却口２ｌが設置されている。
【００１４】
操作部２ａに設置されている前記お金投入口２ｆにお金を入れ、ハンドル２ｈを回すことによって、景品収納部２ｃに収納されている景品が商品取出口２ｋに払い出される仕組みになっている。
【００１５】
前記景品収納部２ｃには、前記はずれ景品９の入ったカプセル８、あるいは前記ロッカーキー１０の入ったカプセル８の２通りのカプセルが収納されている。この前記カプセル８は、図２及び図３に示すように、略楕円形の形をしており、カプセル本体８ａからカプセルの蓋８ｂを取り外すことによって、前記はずれ景品９か、または前記ロッカーキー１０のいずれかを取り出すことができる。
【００１６】
商品収納ロッカー３は、４つの部屋に仕切られた直方体のロッカー本体３ａからなり、各部屋にはロッカー窓枠３ｃ、３ｇ、３ｊ、３ｍで覆われた窓３ｄ、３ｈ、３ｋ、３ｎが蝶番３ｐにより開閉可能に取り付けられている。本発明では収納ロッカー３は４つの部屋に区切られているが、特に限定したものではなく、４つ以上にしてもよいし、４つ以下でもよい。尚、符号３ｂは右側面を指している。
【００１７】
窓枠３ｃにはお客さん用鍵穴３ｅと補充用鍵穴３ｆが取り付けられている。即ち、通常の景品提供状態では商品収納ロッカー３の部屋は窓枠３ｃは締められており、鍵がなければ開かない状態ある。
【００１８】
商品収納ロッカー３のその他の部屋に取り付けられたロッカー窓枠３ｇ、３ｊ、３ｍにもお客さん用鍵穴３ｉ、３ｌ、３ｏと補充用鍵穴３ｆ、３ｆ、３ｆが取り付けられており、鍵がなければ開かない状態となっている。
【００１９】
お客用鍵穴は４種類の形に分かれている。つまり、前記ロッカー窓枠３ｃに使用する前記お客用鍵穴３ｅと前記ロッカー窓枠３ｇに使用する前記お客用鍵穴３ｉ、及び前記ロッカー窓枠３ｊに使用する前記お客用鍵穴３ｌと前記ロッカー窓枠３ｍに使用する前記お客用鍵穴３ｏの４種類に分かれている。そのため物品取出装置２より獲得した鍵の種類により引き替えることのできる商品が異なるためである。尚、管理者側の持つ補充用鍵穴は前記窓枠３ｃ、３ｇ、３ｊ、３ｍ共に共通である。
【００２０】
はずれ景品９と前記ロッカーキー１０の入った物品取出装置２は、上段部の前記景品収納部２ｃと下段部の前記景品収納部２ｃに分かれており、上段部の前記景品収納部２ｃには前記当たり景品入りロッカー付き物品取出装置３の１段目と２段目のロッカーキーが、下段部の前記景品収納部２ｃには前記当たり景品入りロッカー付き物品取出装置３の３段目と４段目のロッカーキーが収納されている。つまり、上段部の前記景品収納部２ｃには前記当たり景品入りロッカー付き物品取出装置３の前記ロッカー窓枠３ｃ、３ｇに固着されている前記お客用鍵穴３ｅ、３ｉに適合する前記ロッカーキー１０が収納されており、下段部の前記景品収納部２ｃには前記当たり景品入りロッカー付き物品取出装置３の前記ロッカー窓枠３ｊ、３ｍに固着されている前記お客用鍵穴３ｌ、３ｏに適合する前記ロッカーキー１０が収納されている。
【００２１】
図４に示すように、物品取出装置２の上段部にお金を投入し、ハンドル２ｈを回転させ、商品取出口２ｋから出てきたカプセル８に最上段のロッカー窓枠３ｃのお客さん用鍵穴３ｅに適合するロッカーキー１０が入っていた場合、そのロッカーキー１０を使って当たり商品４を獲得することができる。
【００２２】
図５は、本発明であるロッカー付き物品取出装置の流れ図である。図５に示すように、先ずお金投入口２ｆにお金投入１１をし、次にハンドル２ｈを回転させる。商品取出口２ｋからカプセル８を取り、はずれ景品獲得１３の場合は、ここで終了する。
【００２３】
カプセル８内にロッカーキー１０が入っていてキー獲得１４となった場合、ロッカーキー１０が適合するロッカーを開ける１５。ロッカー内には商品が入っており、ロッカーキー１０を獲得した利用者は商品を得る１６。
【００２４】
お客用鍵穴３ｅに適合する前記ロッカーキー１０を獲得した場合、前記当たり景品入りロッカー付き物品取出装置３の１段目のロッカーを開けることができ、前記お客用鍵穴３ｉに適合する前記ロッカーキー１０を獲得した場合、前記当たり景品入りロッカー付き物品取出装置３の２段目のロッカーを開けることができる。また、前記お客用鍵穴３ｌに適合する前記ロッカーキー１０を獲得した場合、前記当たり景品入りロッカー付き物品取出装置３の３段目のロッカーを開けることができ、前記お客用鍵穴３ｏに適合する前記ロッカーキー１０を獲得した場合、前記当たり景品入りロッカー付き物品取出装置３の４段目のロッカーを開けることができる。
【図面の簡単な説明】
【００２５】
【図１】本発明であるロッカー付き物品取出装置の斜視図である。
【図２】本発明であるロッカー付き物品取出装置のはずれ景品入りカプセルの図である。
【図３】本発明であるロッカー付き物品取出装置の景品であるロッカーキー入りカプセルの図である。
【図４】本発明であるロッカー付き物品取出装置の景品であるロッカーキーを使って当たり景品を取り出している際の斜視図である。
【図５】本発明であるロッカー付き物品取出装置の流れ図である。
【符号の説明】
【００２６】
１      ロッカー付き物品取出装置
２      物品取出装置
２ａ    操作部
２ｂ    蓋
２ｃ    景品収納部
２ｄ    景品取出部
２ｅ    料金表示部
２ｆ    お金投入口
２ｇ    返却ボタン
２ｈ    ハンドル
２ｉ    鍵穴
２ｊ    扉
２ｋ    商品取出口
２ｌ    お金返却口
２ｍ    脚部
３      商品収納ロッカー
３ａ    ロッカー本体
３ｂ    右側面
３ｃ    ロッカー窓枠
３ｄ    窓
３ｅ    お客さん用鍵穴
３ｆ    補充用鍵穴
３ｇ    ロッカー窓枠
３ｈ    窓
３ｉ    お客さん用鍵穴
３ｊ    ロッカー窓枠
３ｋ    窓
３ｌ    お客さん用鍵穴
３ｍ    ロッカー窓枠
３ｎ    窓
３ｏ    お客さん用鍵穴
３ｐ    蝶番
４      当たり景品
５      当たり景品
６      当たり景品
７      当たり景品
８      カプセル
８ａ    カプセル本体
８ｂ    カプセルの蓋
９      はずれ景品
１０    ロッカーキー
１１    お金投入
１２    ハンドルを回転
１３    はずれ景品獲得
１４    キー獲得
１５    ロッカーを開ける
１６    商品を得る
【図１】
2007122166.tif 000003
【図２】
2007122166.tif 000004
【図３】
2007122166.tif 000005
【図４】
2007122166.tif 000006
【図５】
2007122166.tif 000007